【手続補正書】
【提出日】平成20年5月12日(2008.5.12)
【手続補正１】
【補正対象書類名】明細書
【補正対象項目名】特許請求の範囲
【補正方法】変更
【補正の内容】
【特許請求の範囲】
【請求項１】  被写体を透過した放射線を撮影する放射線撮影システムであって、
光電変換部を有し、被写体を透過した放射線を撮影するための少なくとも１つのカセッテ型撮影装置と、
前記カセッテ型撮影装置を着脱自在に保持する保持部を有する少なくとも１つの撮影台と、
前記カセッテ型撮影装置と前記保持部との組合せにより構成される撮影システムを特定するシステム情報に基づいて動作する制御装置と、
を備えることを特徴とする放射線撮影システム。
【請求項２】  前記組合せは、前記保持部を使用しない場合を含むことを特徴とする請求項１に記載の放射線撮影システム。
【請求項３】  前記制御装置は、前記システム情報に基づいて、撮影された画像を補正する画像補正部を有することを特徴とする請求項１又は請求項２に記載の放射線撮影システム。
【請求項４】  前記画像補正部は、前記システム情報に対応する補正用画像データを用いて、撮影された画像を補正することを特徴とする請求項３に記載の放射線撮影システム。
【請求項５】  前記制御装置は、前記システム情報に基づいて、撮影された画像を処理する画像処理部を有することを特徴とする請求項１乃至請求項４のいずれか１項に記載の放射線撮影システム。
【請求項６】  前記画像処理部は、前記システム情報に基づいて、階調処理のための特徴量抽出処理を実行することを特徴とする請求項５に記載の放射線撮影システム。
【請求項７】  前記制御装置は、前記システム情報に対応する撮影メニューを選択する選択部を有することを特徴とする請求項１乃至請求項６のいずれか１項に記載の放射線撮影システム。
【請求項８】  前記制御装置は、前記システム情報に関連する情報を撮影された画像に添付する情報添付部を有することを特徴とする請求項１乃至請求項７のいずれか１項に記載の放射線撮影システム。
【請求項９】  前記組合せを検出する検出部と、
前記組合せを指定する指定部とを更に備え、
前記制御装置は、前記検出部により検出された組合せと前記指定部により指定された組合せとが一致するか否かを判定する判定部を有することを特徴とする請求項１乃至請求項８のいずれか１項に記載の放射線撮影システム。
【請求項１０】  前記検出部及び前記指定部は、各々前記カセッテ型撮影装置又は前記撮影台の少なくとも一方の種別を検出及び指定することを特徴とする請求項９に記載の放射線撮影システム。
【請求項１１】  前記制御装置は、前記判定部が、前記検出部により検出された組合せと前記指定部により指定された組合せとが一致しないと判定した場合に、撮影に関する動作を禁止する禁止部を有することを特徴とする請求項９又は請求項１０に記載の放射線撮影システム。
【請求項１２】  前記制御装置は、前記判定部が、前記検出部により検出された組合せと前記指定部により指定された組合せとが一致しないと判定した場合に、放射線の曝射を禁止する禁止部を有することを特徴とする請求項９又は請求項１０に記載の放射線撮影システム。
【請求項１３】  前記指定部は、放射線情報システム若しくは病院情報システムからの情報又は操作者の指定に係る情報に基づいて前記組合せを指定することを特徴とする請求項９乃至請求項１２のいずれか１項に記載の放射線撮影システム。
【請求項１４】  前記制御装置は、前記システム情報に基づいて、前記カセッテ型撮影装置と、それを保持する前記撮影台及び／又は放射線発生装置とが同期するように駆動制御を行う駆動制御部を有することを特徴とする請求項１乃至請求項１３のいずれか１項に記載の放射線撮影システム。
【請求項１５】  前記カセッテ型撮影装置は、自己を特定する読み取り可能な情報を保持しており、前記撮影台は、前記カセッテ型撮影装置の情報を読み取った後に、前記システム情報を前記制御装置に送信することを特徴とする請求項１乃至請求項１４のいずれか１項に記載の放射線撮影システム。
【請求項１６】  前記撮影台は、自己を特定する読み取り可能な情報を保持しており、前記カセッテ型撮影装置は、前記撮影台の情報を読み取った後に、前記システム情報を前記制御装置に送信することを特徴とする請求項１乃至請求項１４のいずれか１項に記載の放射線撮影システム。
【請求項１７】  前記カセッテ型撮影装置及び前記撮影台は各々通信部を有し、
前記カセッテ型撮影装置は、前記撮影台に保持されたときに、該撮影台から前記通信部を介して該撮影台を特定する情報を取得し、該情報の取得後に前記システム情報を前記制御装置に送信することを特徴とする請求項１乃至請求項１４のいずれか１項に記載の放射線撮影システム。
【請求項１８】  前記カセッテ型撮影装置及び前記撮影台は各々通信部を有し、
前記カセッテ型撮影装置を保持した前記撮影台は、前記通信部を介して前記カセッテ型撮影装置と通信した後に、前記システム情報を前記制御装置に送信することを特徴とする請求項１乃至請求項１４のいずれか１項に記載の放射線撮影システム。
【請求項１９】  前記補正用画像データは、前記カセッテ型撮影装置を前記撮影台に装着した状態で撮影された画像に基づいて作成されることを特徴とする請求項４に記載の放射線撮影システム。
【請求項２０】  前記補正用画像データは、前記保持部を使用せずにカセッテ型撮影装置で撮影された画像に基づいて作成されることを特徴とする請求項４に記載の放射線撮影システム。
【請求項２１】  前記システム情報に対応する補正用画像データを記憶する記憶部を更に備え、
前記画像補正部は、前記記憶部に記憶された複数の補正用画像データのうち、前記システム情報に対応する補正用画像データを用いて、撮影された画像を補正することを特徴とする請求項３に記載の放射線撮影システム。
【請求項２２】  光電変換部を有し、被写体を透過した放射線を撮影するための少なくとも１つのカセッテ型撮影装置と、前記カセッテ型撮影装置を保持する保持部を有する少なくとも１つの撮影台とを備える放射線撮影システムの制御装置であって、
前記カセッテ型撮影装置と前記保持部との組合せにより構成される撮影システムを特定するシステム情報を取得する取得部と、
前記取得部によって取得したシステム情報に基づいて所定の処理を実行する処理部と、
を備えることを特徴とする制御装置。
【請求項２３】  光電変換部を有し、被写体を透過した放射線を撮影するための少なくとも１つのカセッテ型撮影装置と、前記カセッテ型撮影装置を保持する保持部を有する少なくとも１つの撮影台とを備える放射線撮影システムの制御方法であって、
前記カセッテ型撮影装置と前記保持部との組合せにより構成される撮影システムを特定するシステム情報を取得する取得工程と、
前記取得工程によって取得したシステム情報に基づいて所定の処理を実行する処理工程と、
を備えることを特徴とする制御方法。
【請求項２４】  請求項１乃至請求項２１のいずれか１項に記載の放射線撮影システム又は請求項２２に記載の制御装置の機能をコンピュータに実現させるためのプログラムを記録したコンピュータ読出可能な記憶媒体。
【請求項２５】  請求項２３に記載の制御方法の処理ステップをコンピュータに実行させるためのプログラムを記録したコンピュータ読取可能な記憶媒体。
【請求項２６】  請求項１乃至請求項２１のいずれか１項に記載の放射線撮影システム又は請求項２２に記載の制御装置の機能をコンピュータに実現させるためのプログラム。
【請求項２７】  請求項２３に記載の制御方法の各工程をコンピュータに実行させるためのプログラム。
【手続補正２】
【補正対象書類名】明細書
【補正対象項目名】００２７
【補正方法】変更
【補正の内容】
【００２７】
本発明の好適な実施の形態によれば、放射線撮影システムは、前記組合せを検出する検出部と、前記組合せを指定する指定部とを更に備え、前記制御装置は、前記検出部により検出された組合せと前記指定部により指定された組合せとが一致するか否かを判定する判定部を有することが好ましい。
【手続補正３】
【補正対象書類名】明細書
【補正対象項目名】００３８
【補正方法】変更
【補正の内容】
【００３８】
本発明の好適な実施の形態によれば、前記補正用画像データは、前記保持部を使用せずにカセッテ型撮影装置で撮影された画像に基づいて作成されることが好ましい。
【手続補正４】
【補正対象書類名】明細書
【補正対象項目名】００４３
【補正方法】変更
【補正の内容】
【００４３】
本発明の第５の側面は、コンピュータ読取可能な記憶媒体に係り、上記の本発明の第３の側面に係る制御方法の各工程をコンピュータに実行させるためのプログラムが記録されていることを特徴とする。